(57)【特許請求の範囲】
【請求項１】
インクジェットヘッドと、
前記インクジェットヘッドに供給するインクを収容する可撓性のインクパックと、
前記インクジェットヘッドによる印刷位置に供給される印刷媒体を収容する印刷媒体収
容容器と、
前記印刷媒体収容容器が着脱可能に装着される装着部と、
前記装着部に着脱される前記印刷媒体収容容器の移動に伴って前記インクパックを押圧
する撹拌機構と、を有することを特徴とする印刷装置。
【請求項２】
請求項１において、
前記撹拌機構は、前記インクパックを押圧する押圧部材と、前記印刷媒体収容容器の着
脱方向への移動に伴って前記押圧部材を当該着脱方向に移動させるリンク機構と、を備え
ることを特徴とする印刷装置。
【請求項３】
請求項２において、
前記リンク機構は、前記押圧部材を支持する支持部材と、前記支持部材を前記着脱方向
に移動可能に支持する案内部材と、前記印刷媒体収容容器が前記装着部に挿入されていな
いときに前記支持部材を所定位置に付勢する付勢部材と、を有し、
前記印刷媒体収容容器は、当該印刷媒体収容容器が前記装着部内で前記印刷媒体の前記
印刷位置への供給が可能となる装着位置に向かう方向に移動しているときに前記支持部材
に当接して、前記付勢部材の付勢力に抗して、前記支持部材を移動させることを特徴とす
る印刷装置。
【請求項４】
請求項３において、
前記撹拌機構は、前記印刷媒体収容容器が前記装着位置に位置したときに、前記押圧部
材を前記インクパックから離間させる第１離間機構を備えることを特徴とする印刷装置。
【請求項５】
請求項３または４において、
前記撹拌機構は、前記印刷媒体収容容器が、前記装着部から外部に引き出されたときに
、前記押圧部材を前記インクパックから離間させる第２離間機構を備えることを特徴とす
る印刷装置。
【請求項６】
請求項１において、
前記撹拌機構は、前記インクパックを押圧可能な押圧部材と、前記印刷媒体収容容器の
着脱方向への移動に伴って、前記インクパックを押圧する第１位置と前記インクパックか
ら離間する第２位置との間で前記押圧部材を移動させるリンク機構と、を備えることを特
徴とする印刷装置。
【請求項７】
請求項６において、
前記撹拌機構は、前記押圧部材を前記第１位置に向かう方向に付勢する付勢部材を備え
ることを特徴とする印刷装置。
【請求項８】
請求項２または６において、
前記押圧部材は、ローラーであることを特徴とする印刷装置。
【請求項９】
請求項１ないし８のうちのいずれか一項において、
前記インクは、顔料インクであることを特徴とする印刷装置。
【発明の詳細な説明】
【技術分野】
【０００１】
本発明は、沈降成分を有するインクを印刷に用いる印刷装置に関する。
【背景技術】
【０００２】
顔料インクは顔料が粒子として溶媒中に分散している。従って、顔料インクを収容した
インクパックを長期間放置した場合には、インクパック内で顔料が沈降することがある。
顔料が沈降すると、インクパックに収容された顔料インクには、上側の顔料濃度が薄く下
側の顔料濃度が濃くなるという濃度ムラが起こる。ここで、濃度ムラが発生している顔料
インクがインクパックから印刷ヘッドに供給されると、印刷結果に意図しない濃淡が現れ
て、印刷品質が低下する場合がある。
【０００３】
特許文献１には、沈降成分を有するインクを印刷に用いる印刷装置が記載されている。
同文献では、沈降成分の沈降を抑制するために、インクパック内にマグネットボールを挿
入している。また、インクパックを印刷装置にセットする前に、マグネット攪拌機にイン
クパックを載せている。インクパックがマグネット攪拌機に載せられると、マグネットボ
ールがインクパック内で移動して、インクを撹拌する。
【先行技術文献】
【特許文献】
【０００４】
【特許文献１】特開２００４−２０３０５６号公報
【発明の概要】
【発明が解決しようとする課題】
【０００５】
ここで、インクパックを印刷装置にセットする際にインクパック内のインクを撹拌した
だけでは、インクパック内のインクに濃度ムラが発生することを長期間に渡って抑制する
ことは難しい。
【０００６】
本発明の課題は、このような点に鑑みて、インクパック内のインクに濃度ムラが発生す
ることを長期間に渡って抑制できる印刷装置を提供することにある。
【課題を解決するための手段】
【０００７】
上記の課題を解決するために、本発明の印刷装置は、インクジェットヘッドと、前記イ
ンクジェットヘッドに供給するインクを収容する可撓性のインクパックと、前記インクジ
ェットヘッドによる印刷位置に供給される印刷媒体を収容する印刷媒体収容容器と、前記
印刷媒体収容容器が着脱可能に装着される装着部と、前記装着部に着脱される前記印刷媒
体収容容器の移動に伴って前記インクパックを押圧する撹拌機構と、を有することを特徴
とする。
【０００８】
本発明によれば、印刷装置はインクパックを押圧する撹拌機構を備える。ここで、可撓
性のインクパックが押圧されれば、インクがインクパック内で移動する。従って、インク
はインクパック内で撹拌される。よって、インクが沈降成分を有する顔料インクなどの場
合には、インクパック内のインクに濃度ムラが発生することを抑制できる。また、撹拌機
構は、装着部に着脱される印刷媒体収容容器の移動に伴ってインクパックを押圧する。す
なわち、撹拌機構は、印刷媒体を印刷媒体収容容器に補充するためなどに印刷媒体収容容
器が装着部に抜き差しされる毎に、インクパックを押圧して、インクを撹拌する。これに
より、インクパック内のインクが定期的に撹拌されるので、インクパック内のインクに濃
度ムラが発生することを長期間に渡って抑制できる。
【０００９】
本発明において、前記撹拌機構は、前記インクパックを押圧する押圧部材と、前記印刷
媒体収容容器の着脱方向への移動に伴って前記押圧部材を当該着脱方向に移動させるリン
ク機構と、を備えるものとすることができる。このようにすれば、押圧部材がインクパッ
クを押圧する位置が移動するので、インクパック内のインクが良く撹拌される。
【００１０】
本発明において、前記リンク機構は、前記押圧部材を支持する支持部材と、前記支持部
材を前記着脱方向に移動可能に支持する案内部材と、前記印刷媒体収容容器が前記装着部
に挿入されていないときに前記支持部材を所定位置に付勢する付勢部材と、を有し、前記
印刷媒体収容容器は、当該印刷媒体収容容器が前記装着部内で前記印刷媒体の前記印刷位
置への供給が可能となる装着位置に向かう方向に移動しているときに前記支持部材に当接
して、前記付勢部材の付勢力に抗して、前記支持部材を移動させるものとすることができ
る。このようにすれば、印刷媒体収容容器が装着位置に向かう際には、印刷媒体収容容器
によって支持部材（押圧部材）を移動させることができる。また、印刷媒体収容容器が装
着位置から離間する際には、付勢部材の付勢力によって、支持部材（押圧部材）を移動さ
せることができる。
【００１１】
本発明において、前記撹拌機構は、前記印刷媒体収容容器が前記装着位置に位置したと
きに、前記押圧部材を前記インクパックから離間させる第１離間機構を備えることが望ま
しい。このようにすれば、印刷媒体収容容器が装着位置に配置されて印刷媒体が印刷位置
に供給可能となったときに、押圧部材がインクパックを押圧しない。従って、印刷時など
に、押圧部材がインクパックを押圧する圧力によって、インクパックからインクジェット
ヘッドに供給されるインクの圧力が変動することを防止できる。また、このようにすれば
、印刷媒体収容容器が装着位置に配置されたときに押圧部材とインクパックとが干渉しな
くなるので、インクパックを交換することが容易となる。
【００１２】
本発明において、前記撹拌機構は、前記印刷媒体収容容器が、前記装着部から外部に引
き出されたときに、前記押圧部材を前記インクパックから離間させる第２離間機構を備え
ることが望ましい。このようにすれば、印刷媒体収容容器が装着部から取り外されたとき
に、押圧部材とインクパックとが干渉しなくなる。従って、印刷媒体収容容器が装着部か
ら取り外されたときに、インクパックを交換することが容易となる。
【００１３】
本発明において、前記撹拌機構は、前記インクパックを押圧可能な押圧部材と、前記印
刷媒体収容容器の着脱方向への移動に伴って、前記インクパックを押圧する第１位置と前
記インクパックから離間する第２位置との間で前記押圧部材を移動させる第２リンク機構
と、を備えるものとすることができる。このようにすれば、押圧部材の移動によってイン
クパックを変形させることができるので、インクパック内のインクが良く撹拌される。
【００１４】
この場合において、前記撹拌機構は、前記押圧部材を前記第１位置に向かう方向に付勢
する付勢部材を備えるものとすることができる。このようにすれば、押圧部材によってイ
ンクパックを確実に変形させることができる。
【００１５】
本発明において、前記押圧部材は、ローラーであることが望ましい。このようにすれば
、押圧部材がインクパックを押圧したときに、押圧部材がインクパックを傷つけることを
防止或いは抑制できる。
【００１６】
本発明において、前記インクは、顔料インクとすることができる。インクパックに顔料
インクを収容している場合には、インクパック内で顔料が沈降して、インクに濃度ムラが
発生することがある。かかる問題に対して、撹拌機構によってインクパック内のインクが
定期的に撹拌されれば、濃度ムラが発生することを抑制できる。
【図面の簡単な説明】
【００１７】
【図１】本発明を適用したプリンターとインクカートリッジの説明図である。
【図２】図１のプリンターの内部構造の説明図である。
【図３】カートリッジ装着部、インクカートリッジおよび撹拌機構の平面図である。
【図４】撹拌動作の説明図である。
【図５】実施例２のプリンターの説明図である。
【発明を実施するための形態】
【００１８】
以下に、図面を参照して、本発明の実施の形態であるプリンターを説明する。
【００１９】
（実施例１）
図１（ａ）は本発明を適用したプリンターの外観図であり、図１（ｂ）はプリンターに
装着されるインクカートリッジの概略説明図である。図２は図１のプリンターの内部構造
の説明図である。本例のプリンター（印刷装置）１は、印刷ヘッド２としてインクジェッ
トヘッドを搭載するインクジェットプリンターである。図１に示すように、プリンター１
は直方体形状のケース３を備える。ケース３の前面３ａには、インクカートリッジ装着口
５、カセット装着口６、および排紙口７が下方から上方にこの順番に設けられている。排
紙口７とカセット装着口６との間には排紙トレイ８が取り付けられている。排紙トレイ８
はケース３の前面３ａから前方に突出する。以下では、互いに直交する方向を前後方向Ｘ
、幅方向Ｙおよび上下方向Ｚとしてプリンター１を説明する。前後方向Ｘにおける前方Ｘ
１は、インクカートリッジ装着口５、カセット装着口６、および排紙口７が開口している
側であり、後方Ｘ２は、その反対側である。
【００２０】
ケース３内において印刷ヘッド２は排紙口７の後方Ｘ２に位置する。図２に示すように
、ケース３の内部には、インクカートリッジ１１を着脱可能に装着するカートリッジ装着
部１２、用紙カセット（印刷媒体収容容器）１３を着脱可能に装着するカセット装着部（
装着部）１４が設けられている。インクカートリッジ装着口５はカートリッジ装着部１２
の開口である。カートリッジ装着部１２には、インクカートリッジ装着口５を介してイン
クカートリッジ１１が前方Ｘ１から挿入される。カセット装着口６はカセット装着部１４
の開口である。カセット装着部１４には、カセット装着口６を介して用紙カセット１３が
前方Ｘ１から挿入される。
【００２１】
また、ケース３の内部には、カセット装着部１４の後端部分から印刷ヘッド２による印
刷位置Ａを経由して排紙口７に至る用紙搬送経路１５が設けられている。用紙搬送経路１
５は、カセット装着部１４の後端部分から上方に向かって前方Ｘ１に湾曲する湾曲経路部
分１６と、湾曲経路部分１６の上端から排紙口７に向かって前方Ｘ１に水平に延びる水平
経路部分１７を備える。印刷位置Ａは水平経路部分１７の途中に設けられている。印刷位
置Ａは印刷ヘッド２と対向配置されたプラテン１８によって規定される。
【００２２】
カセット装着部１４の後端部分には用紙カセット１３内の印刷用紙を湾曲経路部分１６
（用紙搬送経路１５）に送り出す用紙供給機構２１が設けられている。用紙供給機構２１
は供給ローラー２２と、供給ローラー２２の駆動源となる供給モーター２３を備える。ま
た、水平経路部分１７には、用紙供給機構２１によって用紙搬送経路１５に送り出された
印刷用紙を前方Ｘ１に搬送する搬送機構２４が設けられている。搬送機構２４はプラテン
１８の後方Ｘ２に配置された搬送ローラー対２５と、搬送ローラー対２５の駆動源となる
搬送モーター２６を備える。
【００２３】
図１（ｂ）に示すように、インクカートリッジ１１は、矩形箱型のトレイ３１と、トレ
イ３１に収納された複数本のインクパック３２を備える。本例では４本のインクパック３
２がトレイ３１に収納されている。トレイ３１は、矩形の底板３３と、底板３３の各辺の
外周縁から底板３３と直交する方向に立ち上がる４枚の側板３４を備える。４枚の側板３
４は、２枚の側板３４が前後方向Ｘで互いに対向する。また、残りの２枚の側板３４が幅
方向Ｙで互いに対向する。前後方向Ｘの後端に位置する１枚の側板３４には４つの開口部
３５が設けられている。４つの開口部３５は幅方向Ｙに配列されている。
【００２４】
各インクパック３２は、上下方向Ｚから見た場合に長方形の収容袋３７と、収容袋３７
の後端縁に取り付けられた供給部３８を備える。各インクパック３２には、それぞれ色彩
の異なるインク４０が貯留されている。インク４０は顔料インクであり、顔料が粒子とし
て溶媒中に分散している。収容袋３７は、可撓性であり、ポリエチレンテレフタレート、
ナイロン、ポリエチレンなどからなる複数枚のフィルムを積層した多層構造のフィルムで
ある。また、収容袋３７は、多層構造のフィルムの中層にアルミニウム製のフィルムを配
したものである。
【００２５】
４本のインクパック３２はトレイ３１の底板３３に載置される。４本のインクパック３
２は、その長手方向を前後方向Ｘに向け、供給部３８を後方Ｘ２に向けた姿勢で幅方向Ｙ
に配列される。また、各インクパック３２は、それぞれの供給部３８がトレイ３１の各開
口部３５に保持された状態でトレイ３１にセットされる。
【００２６】
ここで、カートリッジ装着部１２にはインク導入針４１が設置されている。インク導入
針４１は印刷ヘッド２に連通するインク流路４２の上流端に取り付けられている。インク
カートリッジ１１がカートリッジ装着部１２に装着されると、インク導入針４１はトレイ
３１の開口部３５に保持されたインクパック３２の供給部３８に挿入される。これにより
、インクパック３２は、インク導入針４１およびインク流路４２を介して印刷ヘッド２に
連通する。従って、インクパック３２内のインク４０は印刷ヘッド２に供給可能となる。
【００２７】
用紙カセット１３は箱型のトレイ３１を備える。トレイ３１には単票の印刷用紙４５が
積層された状態で収納される。用紙カセット１３がカセット装着部１４に装着されると、
用紙カセット１３に収納された印刷用紙４５が印刷ヘッド２による印刷位置Ａに供給可能
となる。すなわち、図２に示すように、用紙カセット１３がカセット装着部１４内におけ
る装着位置１３Ａに配置されると、用紙供給機構２１の供給ローラー２２が用紙カセット
１３内の印刷用紙４５に当接する。従って、供給モーター２３の駆動によって供給ローラ
ー２２が駆動されると、用紙カセット１３内の印刷用紙４５が用紙搬送経路１５に供給さ
れる。
【００２８】
図２に示すように、インクカートリッジ１１および用紙カセット１３がプリンター１に
セットされた状態で外部の機器からプリンター１に印刷データが供給されると、プリンタ
ー１は、供給モーター２３および搬送モーター２６を駆動して、用紙カセット１３内の印
刷用紙４５を用紙搬送経路１５に沿って１枚ずつ搬送する。また、プリンター１は、印刷
ヘッド２を駆動して印刷位置Ａを通過する印刷用紙４５にインク４０を吐出する。これに
より、プリンター１は印刷用紙４５に印刷データを印刷する。そして、印刷が施された印
刷用紙４５は排紙口７を介して排紙トレイ８に排出される。
【００２９】
ここで、プリンター１は、カートリッジ装着部１２に装着されたインクカートリッジ１
１の各インクパック３２内のインク４０を撹拌する撹拌機構５１を備える。
【００３０】
（撹拌機構）
次に、図２乃至図４を参照して撹拌機構５１を説明する。図３はカートリッジ装着部１
２、インクカートリッジ１１および撹拌機構５１を上方から見た場合の平面図である。撹
拌機構５１は、カセット装着部１４に着脱される用紙カセット１３の移動に伴って各イン
クパック３２を押圧する。
【００３１】
図２に示すように、撹拌機構５１はカートリッジ装着部１２に装着されたインクカート
リッジ１１の上方に位置する。図３に示すように、撹拌機構５１は、各インクパック３２
を押圧する４つのローラー（押圧部材）５２と、用紙カセット１３の着脱方向への移動に
伴って４つのローラー５２を着脱方向に移動させるリンク機構５３とを備える。用紙カセ
ット１３の着脱方向は前後方向Ｘである。
【００３２】
リンク機構５３は、ローラー５２を支持する支持部材５５と、支持部材５５を着脱方向
に移動可能に支持する一対のレール（案内部材）５６と、用紙カセット１３がカセット装
着部１４に挿入されていないときに支持部材５５を所定位置に付勢する付勢部材５７とを
有する。
【００３３】
図２に示すように、支持部材５５は、幅方向Ｙに延びる軸部５８と、支軸から下方に延
びる４本の腕部５９を備える。図３に示すように、４本の腕部５９は幅方で等間隔に設け
られている。各腕部５９は軸部５８から下方に延びる第１腕部分５９ａと第１腕部分５９
ａの下端から前方Ｘ１に延びる第２腕部分５９ｂを備える。第２腕部分５９ｂの先端部分
にはローラー５２が回転可能に取り付けられている。一対のレール５６は、幅方向Ｙにお
けるインクカートリッジ１１を間に挟んだ両側で前後方向Ｘに延びる。一対のレール５６
は支持部材５５の軸部５８の幅方向Ｙの両端部分を下方から支持する。支持部材５５が一
対のレール５６に支持された状態では、各腕部５９および各腕部５９に取り付けられたロ
ーラー５２は、各インクパック３２の上方に位置する。ここで、図２に示すように、軸部
５８はカセット装着部１４に挿入された用紙カセット１３（用紙カセット１３の後面）に
当接可能である。
【００３４】
支持部材５５は軸部５８の軸線回りに回転可能な状態で一対のレール５６に支持されて
いる。従って、支持部材５５は、各ローラー５２を、当該ローラー５２の自重によって当
該ローラー５２が各インクパック３２を下方に押圧する状態で支持する。付勢部材５７は
、支持部材５５をローラー５２がケース３内の前端部分に位置する前方位置５５Ａ（図４
参照）に付勢する。付勢部材５７はコイルバネである。なお、支持部材５５は、ローラー
５２が下方（インクパック３２に当接する方向）に向かう回転方向に支持部材５５を付勢
する第２の付勢部材を備えてもよい。
【００３５】
ここで、図２に示すように、撹拌機構５１は、用紙カセット１３がカセット装着部１４
内で印刷用紙４５の印刷位置Ａへの供給が可能となる装着位置１３Ａに配置されたときに
、ローラー５２をインクパック３２から離間させる第１離間機構６１を備える。第１離間
機構６１は、ケース３内に設けられた当接部であり、用紙カセット１３が装着位置１３Ａ
に配置されたときに、用紙カセット１３とともに後方Ｘ２に移動してきた支持部材５５に
後方Ｘ２から当接して、支持部材５５を軸部５８回りに回転させる。これにより、ローラ
ー５２を上方に移動させて、インクパック３２から離間させる。なお、第１離間機構６１
は、インクカートリッジ１１の側に設けられていてもよい。すなわち、インクカートリッ
ジ１１の後端部分に各インクパック３２の供給部を３８上方から被う板部材を取り付けて
、この板部材を支持部材５５に後方Ｘ２から当接する当接部（第１離間機構６１）とする
こともできる。
【００３６】
また、撹拌機構５１は、用紙カセット１３が、カセット装着部１４から外部に引き出さ
れたときに、ローラー５２をインクパック３２から離間させる第２離間機構６２を備える
。第１離間機構６１は、ケース３内に設けられたローラー５２の載置部であり、用紙カセ
ット１３がカセット装着部１４から外部に引き出されて支持部材５５が前方位置５５Ａに
配置される際に、ローラー５２が乗り上げて、支持部材５５を軸部５８回りに回転させる
。これにより、ローラー５２が上方に移動して、インクパック３２から離間する。
【００３７】
（撹拌動作）
次に、図４および図２を参照して撹拌機構５１によるインクパック３２内のインク４０
の撹拌動作を説明する。まず、プリンター１のカートリッジ装着部１２にはインクカート
リッジ１１が装着されているものとする。
【００３８】
図４（ａ）に示すように、用紙カセット１３が前方Ｘ１からカセット装着口６を介して
カセット装着部１４に挿入されと、用紙カセット１３（用紙カセット１３の後面）は前方
Ｘ１から軸部５８に当接する。従って、図４（ｂ）に示すように、用紙カセット１３がカ
セット装着部１４内を装着位置１３Ａに向かう方向（後方Ｘ２）に移動すると、用紙カセ
ット１３が支持部材５５（ローラー５２）を後方Ｘ２に移動させる。よって、ローラー５
２は、その自重によってインクパック３２を押圧しながら、押圧する位置を後方Ｘ２に向
かって変化させる。
【００３９】
また、用紙カセット１３は、装着時に、付勢部材５７の付勢力に抗して支持部材５５を
後方Ｘ２に移動させる。従って、用紙カセット１３をカセット装着部１４から取り外す際
には、支持部材５５は、付勢部材５７の付勢力によって、前方位置５５Ａに戻る。支持部
材５５（ローラー５２）が前方Ｘ１に移動する際には、ローラー５２は、その自重によっ
てインクパック３２を押圧しながら、押圧する位置を前方Ｘ１に向かって変化させる。
【００４０】
ここで、ローラー５２によって可撓性のインクパック３２が押圧されれば、インク４０
はインクパック３２内で移動する。従って、インク４０はインクパック３２内で撹拌され
る。よって、インクパック３２内のインク４０（顔料インク）に濃度ムラが発生すること
を抑制できる。
【００４１】
また、撹拌機構５１は、カセット装着部１４に着脱される用紙カセット１３の移動に伴
ってインクパック３２を押圧する。すなわち、撹拌機構５１は、印刷用紙４５を補充する
ためなどに用紙カセット１３がカセット装着部１４から取り外される毎に、インクパック
３２を押圧して、インク４０を撹拌する。これにより、インクパック３２内のインク４０
が定期的に撹拌されるので、インクパック３２内のインク４０に濃度ムラが発生すること
を長期間に渡って抑制できる。
【００４２】
また、本例では、用紙カセット１３が装着位置１３Ａに配置されたときに、ローラー５
２がインクパック３２から離間する。このようにすれば、印刷用紙４５が印刷位置Ａに供
給されるときに、ローラー５２がインクパック３２を押圧しない。従って、ローラー５２
がインクパック３２を押圧する圧力によって、インクパック３２から印刷ヘッド２に供給
されるインク４０の圧力が変動することを防止できる。また、このようにすれば、用紙カ
セット１３が装着位置１３Ａに配置されたときにローラー５２とインクパック３２とが干
渉しなくなるので、インクカートリッジ１１をカートリッジ装着部１２から引き抜くこと
が容易となる。すなわち、インクカートリッジ１１の交換が容易となる。
【００４３】
さらに、本例では、用紙カセット１３がカセット装着部１４から外部に引き出されたと
きに、ローラー５２がインクパック３２から離間して、ローラー５２とインクパック３２
とが干渉しなくなる。従って、用紙カセット１３がカセット装着部１４から取り外された
ときに、インクカートリッジ１１をカートリッジ装着部１２から引き抜くことが容易とな
る。すなわち、インクカートリッジ１１の交換が容易となる。
【００４４】
また、本例では、ローラー５２がインクパック３２を押圧するので、インクパック３２
の表面を傷つけることを防止或いは抑制できる。
【００４５】
（実施例２）
次に、本発明を適用した実施例２のプリンターを説明する。本例のプリンター１Ａは撹
拌機構５１Ａを除き、上記のプリンター１と同様の構成を備える。従って、同一の構成に
は同一の符号を付してその説明を省略する。
【００４６】
撹拌機構５１Ａは、インクパック３２を押圧可能なローラー７１と、用紙カセット１３
の着脱方向（前後方向Ｘ）への移動に伴って、インクパック３２を押圧する第１位置７１
Ａとインクパック３２から離間する第２位置７１Ｂとの間でローラー７１を移動させるリ
ンク機構７２を備える。
【００４７】
リンク機構７２は、ローラー７１を支持する支持部材７３と、支持部材７３を回動可能
に支持する一対の支持部７４と、支持部材７３を付勢する付勢部材７５を備える。
【００４８】
支持部材７３は、幅方向Ｙに延びる軸部７７と、軸部７７から前方Ｘ１に延びる４本の
腕部７８と、軸部７７から後方Ｘ２に延びる係止部７９と、軸部７７から上方に延びる当
接部８０を備える。４本の腕部７８および係止部７９は幅方向Ｙで等間隔に設けられてい
る。腕部７８と係止部７９は、幅方向Ｙの同じ位置に設けられている。一対の支持部７４
は、ケース３において幅方向Ｙでインクカートリッジ１１を間に挟む両側に設けられてい
る。一対の支持部７４は、軸部７７の両端部分を軸部７７の軸線回りに回転可能に支持す
る。ローラー７１は腕部７８の先端に回転可能に取り付けられている。
【００４９】
各腕部７８および各腕部７８に取り付けられたローラー７１は、プリンター１の場合と
同様に、各インクパック３２の上方に位置する（図３参照）。ここで、付勢部材７５は、
コイルバネであり、係止部７９が上方に移動する回転方向に支持部材７３を付勢する。従
って、ローラー７１は付勢部材７５によって下方に付勢されて各インクパック３２を押圧
可能である。
【００５０】
ここで、図５（ａ）に示すように、用紙カセット１３が装着位置１３Ａに配置されると
、用紙カセット１３は支持部材７３の当接部８０に当接して、支持部材７３を軸部７７の
軸線回りに回転させる。これにより、支持部材７３は、腕部７８は前方Ｘ１に水平に延び
、ローラー７１が各インクパック３２から上方に離間する第２位置７１Ｂに配置された姿
勢となる。ローラー７１が第２位置７１Ｂに配置されると、付勢部材７５は付勢力を蓄積
する。本例では、コイルバネが伸びて、その付勢力を蓄積する。
【００５１】
その後、印刷用紙４５の補充のためなどに用紙カセット１３がカセット装着部１４から
引き出されると、図５（ｂ）に示すように、用紙カセット１３と当接部８０との当接が解
除される。用紙カセット１３と当接部８０との当接が解除されると、支持部材７３は付勢
部材７５の付勢力およびローラー７１の自重によって軸部７７の軸線回りをローラー７１
が下方に向かう方向に回転する。これにより、ローラー７１は第１位置７１Ａに至り、各
インクパック３２を上方から押圧する。
【００５２】
本例では、ローラー７１の押圧によってインクパック３２を変形させることができるの
で、インクパック３２内のインク４０が撹拌される。また、撹拌機構５１Ａは、ローラー
７１をインクパック３２に向かって付勢する付勢部材７５を備えるので、ローラー７１が
下方に移動したときに、インクパック３２を確実に変形させることができる。
【００５３】
（その他の実施の形態）
上記の例では、撹拌機構５１、５１Ａにおいてインクパック３２を押圧するのは４本の
ローラー５２、７１であるが、ローラー５２、７１は、例えば、４本のローラーを一体化
した一本のローラー７１でもよい。
【００５４】
また、上記の例では、撹拌機構５１、５１Ａにおいてインクパック３２を押圧する部材
はローラー５２、７１であるが、例えば、円柱形状の部材とすることもできる。
【００５５】
また、上記の例では、一つのトレイ３１に複数のインクパック３２が載置されているが
、インクカートリッジは、各インクパック３２が独立したトレイ３１に載置されている形
態のものとすることもできる。すなわち、インクカートリッジは、一つのトレイ３１と当
該トレイに載置された一つのインクパック３２から構成されており、このようなインクカ
ートリッジを各色のインク毎に備えるものとしてもよい。
【００５６】
また、上記の例では、カートリッジ装着部１２はカセット装着部１４の下方に設けられ
ているが、カートリッジ装着部１２がカセット装着部１４の側方に設けられている場合に
も、本発明を適用できる。この場合には、撹拌機構５１、５１Ａをカートリッジ装着部１
２の側方に配置し、カセット装着部１４に挿入される用紙カセット１３の移動に伴って撹
拌機構５１、５１Ａの各ローラー５２、７１が側方からインクパック３２を押圧するもの
とする。
【符号の説明】
【００５７】
１・１Ａ…プリンター（印刷装置）、２…印刷ヘッド（インクジェットヘッド）、３…ケ
ース、５…インクカートリッジ装着口、６…カセット装着口、７…排紙口、８…排紙トレ
イ、１１…インクカートリッジ、１２…カートリッジ装着部、１３…用紙カセット（印刷
媒体収容容器）、１３Ａ…装着位置、１４…カセット装着部（装着部）、１５…用紙搬送
経路、１６…湾曲経路部分、１７…水平経路部分、１８…プラテン、２１…用紙供給機構
、２２…供給ローラー、２３…供給モーター、２４…搬送機構、２５…搬送ローラー対、
２６…搬送モーター、３１…トレイ、３２…インクパック、３３…底板、３４…側板、３
５…開口部、３７…収容袋、３８…供給部、３９…ホルダー、４０…インク、４１…イン
ク導入針、４２…インク流路、４５…印刷用紙（印刷媒体）、５１・５１Ａ…撹拌機構、
５２…ローラー、５３…リンク機構、５５…支持部材、５５Ａ…前方位置（所定位置）、
５６…レール（案内部材）、５７…付勢部材、５８…軸部、５９…腕部、５９ａ…第１腕
部分、５９ｂ…第２腕部分、６１…第１離間機構、６２…第２離間機構、７１…ローラー
、７１Ａ…第１位置、７１Ｂ…第２位置、７２…リンク機構、７３…支持部材、７４…支
持部、７５…付勢部材、７７…軸部、７８…腕部、７９…係止部、８０…当接部、Ａ…印
刷位置、Ｘ…前後方向、Ｘ１…前方、Ｘ２…後方、Ｙ…幅方向、Ｚ…上下方向。
【図１】
0006668880.tif 000002
【図２】
0006668880.tif 000003
【図３】
0006668880.tif 000004
【図４】
0006668880.tif 000005
【図５】
0006668880.tif 000006